(57)【要約】【課題】ＨＤ映像信号とそれをフォーマット変換して得るＳＤ映像信号を同時出力するフォーマット変換装置および撮像装置において、ＨＤ映像信号とＳＤ映像信号および外部基準信号との位相関係を速やかに切換えて出力する。【解決手段】外部基準信号からリセット信号を生成するリセット信号生成部と、それを遅延量ＤＬ１遅延させる第２の遅延部と、リセット信号生成部と第２の遅延部の出力を選択する第２のセレクタと、第２のセレクタの出力によりリセットされるタイミング制御部と、タイミング制御部により駆動されて第３のＨＤ映像信号を出力する撮像部と、第３のＨＤ映像信号を入力して遅延量ＤＬ１遅延させる第１の遅延部と、第３のＨＤ映像信号と第１の遅延部の出力を選択して出力する第１のセレクタと、第３のＨＤ映像信号を遅延量ＤＬ１の間にＳＤ映像信号に変換して出力する方式変換部とで構成される。【選択図】図１
2005065161.tif 000002
【特許請求の範囲】
【請求項１】
入力された第１のＨＤ映像信号をフォーマット変換して第１のＳＤ映像信号として出力するとともに、前記第１のＨＤ映像信号を２種類の位相を切換えて第２のＨＤ映像信号として出力するフォーマット変換装置であって、前記第２のＨＤ映像信号に対する前記第１のＳＤ映像信号の相対的な位相関係を前記２種類の位相差となるように切換えて、前記第２のＨＤ映像信号と前記第１のＳＤ映像信号とを同時に出力することを特徴とするフォーマット変換装置。
【請求項２】
入力された外部基準信号を基準として、前記２種類の位相を切換えて第３のＨＤ映像信号として出力する撮像装置と、請求項１記載のフォーマット変換装置とを備え、前記第１のＨＤ映像信号として前記第３のＨＤ映像信号を入力することを特徴とするフォーマット変換機能を備えた撮像装置。
【請求項３】
入力された第１のＨＤ映像信号を遅延量ＤＬ１だけ遅延させる第１の遅延部と、前記第１のＨＤ映像信号と前記第１の遅延部の出力のどちらか一方を選択して第２のＨＤ映像信号として出力する第１のセレクタと、前記第１のＨＤ映像信号を前記ＤＬ１の期間に第１のＳＤ映像信号にフォーマット変換して出力する方式変換部とを備えたことを特徴とする請求項１記載のフォーマット変換装置。
【請求項４】
入力された外部基準信号からリセット信号を生成するリセット信号生成部と、前記リセット信号を前記遅延量ＤＬ１だけ遅延させる第２の遅延部と、前記リセット信号生成部と前記第２の遅延部の出力のどちらか一方を選択して出力する第２のセレクタと、前記第２のセレクタの出力によりリセットされるタイミング制御部と、前記タイミング制御部により駆動されて被写体を撮影して第３のＨＤ映像信号を出力する撮像部と、請求項３記載のフォーマット変換装置とを備え、前記第１のＨＤ映像信号として前記第３のＨＤ映像信号を入力することを特徴とする請求項２記載のフォーマット変換機能を備えた撮像装置。
【請求項５】
入力された外部基準信号からリセット信号を生成するリセット信号生成部と、前記リセット信号によりリセットされるタイミング制御部と、前記タイミング制御部により駆動されて被写体を撮影して第４のＨＤ映像信号を出力する撮像部と、前記第４のＨＤ映像信号を前記遅延量ＤＬ１だけ遅延させる第３の遅延部と、前記第４のＨＤ映像信号と前記第３の遅延部の出力のどちらか一方を選択して第３のＨＤ映像信号として出力する第３のセレクタと、請求項３記載のフォーマット変換装置とを備え、前記第１のＨＤ映像信号として前記第３のＨＤ映像信号を入力することを特徴とする請求項２記載のフォーマット変換機能を備えた撮像装置。
【発明の詳細な説明】
【技術分野】
【０００１】
本発明は、ＨＤ映像信号をＳＤ映像信号に変換するフォーマット変換装置および撮像装置に関するものである。
【背景技術】
【０００２】
近年、テレビ放送業界は、現行放送で採用されている総ライン数５２５本インターレース走査方式（以下、５２５ｉ映像）などのＳＤ映像フォーマットから総ライン数１１２５本インターレース走査方式（以下、１１２５ｉ映像）などのＨＤ映像フォーマットへの移行期にあり、テレビの放送局のスタジオ内では複数フォーマットの映像信号が混在する中で番組制作などが行われている。このように複数フォーマットが共存する運用形態においてはそれぞれの映像信号の位相を管理する必要がある。また、複数台のスタジオ機器により運用する場合には、各機器に基準となる外部基準信号を入力することによりそれらを同期運転し、各機器から出力される映像信号の位相を正確に制御しなければならない。
【０００３】
このようなＨＤ映像信号とＳＤ映像信号の相互の位相関係や、複数台の機器運用時の外部基準信号と出力映像信号との位相関係はスタジオ規格である電波産業界技術資料  ＡＲＩＢ  ＴＲ−Ｂ２０  「１１２５方式ＨＤＴＶスタジオ機器用外部基準信号のガイドライン」などにより厳密に規定されている。このスタジオ規格では、１１２５ｉ映像と５２５ｉ映像の相互の位相関係について以下のように規定されている。
（１）１１２５ｉ映像と５２５ｉ映像が同相
（２）１１２５ｉ映像に対し５２５ｉ映像が１１２５ｉ映像換算で９０ライン遅れ
図６、図７、図８はスタジオ規格に規定されている１１２５ｉ映像と５２５ｉ映像の位相関係およびそれらと外部基準信号との位相関係を示している。先述の（１）の位相関係とは図６の（ｃ）と（ｄ）のように１１２５ｉ映像のライン１の水平基準位相と、５２５ｉ映像のライン４の水平基準位相が時間的に一致する場合である。また、（２）の位相関係とは図７の（ｂ）と（ｃ）や図８の（ｂ）と（ｃ）のように１１２５ｉ映像のライン９１の水平基準位相と、５２５ｉ映像のライン４の水平基準位相が時間的に一致する場合であり、（１）と比較すると５２５ｉ映像の相対的な位相が１１２５ｉ映像の９０ラインに相当する時間だけ遅れている状態である。
【０００４】
また、運用時には外部基準信号として１１２５ｉ用の同期信号（以下、３値同期信号）または５２５ｉ用の同期信号（以下、３．５８ＢＢ信号）を使用し、両者の位相関係が図６の（ａ）と（ｂ）に示すように、３値同期信号のライン１の水平基準位相と、３．５８ＢＢ信号のライン４の水平基準位相が時間的に一致する場合を同相として取り扱う。
【０００５】
実際に番組制作を行う上では、元々の素材としてはＨＤ映像フォーマットであるものをＳＤ映像フォーマットにフォーマット変換して現行放送用として使用したり、その逆のフォーマット変換をしたりする場合があるが、この場合にもフォーマット変換前後の映像信号の位相管理や外部基準信号による位相制御の必要がある。
【０００６】
以下に従来のフォーマット変換装置について説明する。
【０００７】
従来、フォーマット変換装置は特開２００１−２０３９８８号公報に記載されたものが知られている。図９は従来のフォーマット変換装置の構成を示すものである。図９において、６０は画像データ信号を格納しておく記憶部、６１は入力されるデータ要求信号Ｒ１に応じて記憶部６０から画像データ信号を読み出すデータ読み出し部、６２は出力するデータ要求信号Ｒ１に応じてデータ読み出し部６１から入力される画像データ信号Ｂ１を所定の画像フォーマットの画像に変換して第１の画像を出力する第１の画像フォーマット変換部、６３はデータ読み出し部６１から入力される画像データ信号Ｂ１を所定の画像フォーマットの画像に変換して第２の画像を出力する第２の画像フォーマット変換部、６４は第１の画像フォーマット変換部６２によって変換される画像フォーマットに対応する第１の同期信号Ａ１を生成して出力する画像同期信号生成部、６５は画像同期信号生成部６４から入力される第１の同期信号Ａ１と同期して同位相で第２の画像フォーマット変換部６３によって変換される画像フォーマットに対応する第２の同期信号Ａ２を発生するように調停して生成し出力する画像同期信号生成・同期調停部である。
【０００８】
以上のように構成された従来のフォーマット変換装置について、以下その動作について説明する。
【０００９】
データ読み出し部６１は、第１の画像フォーマット変換部６２からデータ要求信号Ｒ１が入力されると、画像出力の順番に基づいて記憶部６０から記憶されている画像データを読み出し、画像データ信号Ｂ１として出力する。次いで、第１の画像フォーマット変換部６２は、データ読み出し部６１から入力される画像データ信号Ｂ１を、例えば、１１２５ｉ映像の画像にフォーマット変換する。このフォーマット変換された１１２５ｉ映像は、画像同期信号生成部６４から入力される第１の同期信号Ａ１に同期した第１の画像出力として出力される。また、第１の画像フォーマット変換部６２は、画像同期信号生成部６４から入力される第１の同期信号Ａ１に基づいてデータ要求信号Ｒ１を生成して出力する。一方、第２の画像フォーマット変換部６３は、入力される画像データ信号Ｂ１を、例えば、５２５ｉ映像の画像にフォーマット変換する。このフォーマット変換された５２５ｉ映像は、画像同期信号生成・同期調停部６５から入力される第２の同期信号Ａ２に同期した第２の画像出力として出力される。画像同期信号生成部６４は、第１の画像フォーマット変換部６２によって変換される画像フォーマットの画像表示に用いられる基準クロックで動作する第１の垂直画像同期信号用カウンタと第１の水平画像同期信号用カウンタを有し、これらカウンタのカウント値が第１の画像出力の画像フォーマットに対応する値に各々設定されることによって、各画像同期信号を発生する。また、画像同期信号生成・同期調停部６５は、画像同期信号生成部６４と同様に、第２の画像フォーマット変換部６３によって変換される画像フォーマットの画像表示に用いられる基準クロックで動作する第２の垂直画像同期信号用カウンタと第２の水平画像同期信号用カウンタを有しており、これらのカウント値が第２の画像出力の画像フォーマットに対応する値に各々設定されることによって、各画像同期信号を発生する。但し、画像同期信号生成・同期調停部６５が有する第２の垂直画像同期信号用カウンタは、入力される第１の垂直画像同期信号Ａ１と同位相で第２の垂直画像同期信号Ａ２を発生するように調停されて同期化される。
【特許文献１】特開２００１−２０３９８８号公報
【非特許文献１】電波産業界技術資料  ＡＲＩＢ  ＴＲ−Ｂ２０  「１１２５方式ＨＤＴＶスタジオ機器用外部基準信号のガイドライン」
【発明の開示】
【発明が解決しようとする課題】
【００１０】
しかしながら上記従来の構成では、１１２５ｉ映像とそれをフォーマット変換して得られる５２５ｉ映像との位相関係を、技術分野で示したスタジオ規格である。
（１）１１２５ｉ映像と５２５ｉ映像が同相
（２）１１２５ｉ映像に対し５２５ｉ映像が１１２５ｉ映像換算で９０ライン遅れ
という２通りの位相関係を速やかに切換えて実現することは困難である。また、上記１１２５ｉ映像と５２５ｉ映像の双方の位相を外部基準信号により制御して運用することも困難である。
【００１１】
本発明は上記従来の問題点を解決するもので、スタジオ規格で規定されている１１２５ｉ映像と５２５ｉ映像間の２通りの位相関係を速やかに切換えて実現し、また外部基準信号として３値同期信号または３．５８ＢＢ信号が入力された場合に、それを基準として１１２５ｉ映像と５２５ｉ映像の位相を制御することが可能なフォーマット変換装置および撮像装置を提供することを目的とする。
【課題を解決するための手段】
【００１２】
本発明の請求項１に記載の発明は、入力された第１のＨＤ映像信号をフォーマット変換して第１のＳＤ映像信号として出力するとともに、前記第１のＨＤ映像信号を２種類の位相を切換えて第２のＨＤ映像信号として出力するフォーマット変換装置であって、前記第２のＨＤ映像信号に対する前記第１のＳＤ映像信号の相対的な位相関係を前記２種類の位相差となるように切換えて、前記第２のＨＤ映像信号と前記第１のＳＤ映像信号とを同時に出力することを特徴とするものであり、要求される相対的な位相関係に応じてＨＤ映像信号の遅延量を切換えて、ＨＤ映像信号とＨＤ映像信号をフォーマット変換して得られるＳＤ映像信号を同時に出力できるという作用を有する。
【００１３】
本発明の請求項２に記載の発明は、入力された外部基準信号を基準として、前記２種類の位相を切換えて第３のＨＤ映像信号として出力する撮像装置と、請求項１記載のフォーマット変換装置とを備え、前記第１のＨＤ映像信号として前記第３のＨＤ映像信号を入力することを特徴とするフォーマット変換機能を備えた撮像装置としたものであり、外部基準信号の種類と要求されるＨＤ映像信号出力とＳＤ映像信号出力の相対的な位相関係に応じて、撮像装置が出力するＨＤ映像信号の位相およびフォーマット変換装置で選択されるＨＤ映像信号の遅延量を切換えることができるという作用を有する。
【００１４】
本発明の請求項３に記載の発明は、入力された第１のＨＤ映像信号を遅延量ＤＬ１だけ遅延させる第１の遅延部と、前記第１のＨＤ映像信号と前記第１の遅延部の出力のどちらか一方を選択して第２のＨＤ映像信号として出力する第１のセレクタと、前記第１のＨＤ映像信号を前記ＤＬ１の期間に第１のＳＤ映像信号にフォーマット変換して出力する方式変換部とを備えたことを特徴とする請求項１記載のフォーマット変換装置としたものであり、要求される相対的な位相関係に応じてＨＤ映像信号の遅延量を切換えて、ＨＤ映像信号とＨＤ映像信号をフォーマット変換して得られるＳＤ映像信号を同時に出力できるという作用を有する。
【００１５】
本発明の請求項４に記載の発明は、入力された外部基準信号からリセット信号を生成するリセット信号生成部と、前記リセット信号を前記遅延量ＤＬ１だけ遅延させる第２の遅延部と、前記リセット信号生成部と前記第２の遅延部の出力のどちらか一方を選択して出力する第２のセレクタと、前記第２のセレクタの出力によりリセットされるタイミング制御部と、前記タイミング制御部により駆動されて被写体を撮影して第３のＨＤ映像信号を出力する撮像部と、請求項３記載のフォーマット変換装置とを備え、前記第１のＨＤ映像信号として前記第３のＨＤ映像信号を入力することを特徴とする請求項２記載のフォーマット変換機能を備えた撮像装置としたものであり、外部基準信号の種類と要求されるＨＤ映像信号出力とＳＤ映像信号出力の相対的な位相関係に応じて、タイミング制御部に入力するリセット信号の経路に遅延量ＤＬ１の第２の遅延部を挿入するか否かを切換えることにより撮像装置から出力されるＨＤ映像信号の位相を切換え、ＨＤ映像信号出力の経路に遅延量ＤＬ１の遅延部を挿入するか否かを切換えることにより、フォーマット変換装置が出力するＨＤ映像信号とＳＤ映像信号の位相関係を同相またはＳＤ映像信号が遅延量ＤＬ１遅れとするかを切換えることができるという作用を有する。
【００１６】
本発明の請求項５に記載の発明は、入力された外部基準信号からリセット信号を生成するリセット信号生成部と、前記リセット信号によりリセットされるタイミング制御部と、前記タイミング制御部により駆動されて被写体を撮影して第４のＨＤ映像信号を出力する撮像部と、前記第４のＨＤ映像信号を前記遅延量ＤＬ１だけ遅延させる第３の遅延部と、前記第４のＨＤ映像信号と前記第３の遅延部の出力のどちらか一方を選択して第３のＨＤ映像信号として出力する第３のセレクタと、請求項３記載のフォーマット変換装置とを備え、前記第１のＨＤ映像信号として前記第３のＨＤ映像信号を入力することを特徴とする請求項２記載のフォーマット変換機能を備えた撮像装置としたものであり、外部基準信号の種類と要求されるＨＤ映像信号出力とＳＤ映像信号出力の相対的な位相関係に応じて、撮像部が出力するＨＤ映像信号の経路に遅延量ＤＬ１の第３の遅延部を挿入するか否かを切換えることにより撮像装置から出力されるＨＤ映像信号の位相を切換え、ＨＤ映像信号出力の経路に遅延量ＤＬ１の遅延部を挿入するか否かを切換えることにより、フォーマット変換装置が出力するＨＤ映像信号とＳＤ映像信号の位相関係を同相またはＳＤ映像信号が遅延量ＤＬ１遅れとするかを切換えることができるという作用を有する。
【発明の効果】
【００１７】
以上のように本発明は、同時出力するＨＤ映像信号およびＳＤ映像信号の位相関係を同相またはＳＤ映像信号が遅延量ＤＬ１遅れとするかを切換えることができ、かつその位相は外部基準信号が３値同期信号または３．５８ＢＢ信号であるかに対応して、ＨＤ映像信号またはＳＤ映像信号を外部基準信号と同相として出力することができるため、様々な運用形態に速やかに対応できるフォーマット変換装置および撮像装置を提供することができるという効果が得られる。
【発明を実施するための最良の形態】
【００１８】
以下、本発明の実施の形態について、図１から図８を用いて説明する。
【００１９】
（実施の形態１）
図２は、本発明の実施の形態１のフォーマット変換装置のブロック図である。
【００２０】
図２において、４０はＨＤ映像信号をＳＤ映像信号にフォーマット変換してＨＤ映像信号とＳＤ映像信号を同時に出力するフォーマット変換装置であり、以下の部分から構成される。４１は入力された第１のＨＤ映像信号を遅延量０またはＤＬ１の２種類の位相に切換えて第２のＨＤ映像信号として出力する位相可変部、４３は第１のＨＤ映像信号をＤＬ１の期間に第１のＳＤ映像信号にフォーマット変換して出力する方式変換部である。
【００２１】
図６、図７、図８は本発明のフォーマット変換装置および撮像装置の外部基準信号と出力されるＨＤ映像信号およびＳＤ映像信号の相対的な位相関係を表す図である。
【００２２】
以上のように構成されたフォーマット変換装置について、図２および図６、図７、図８を用いてその動作を説明する。
【００２３】
本フォーマット変換装置４０に入力される第１のＨＤ映像信号である１１２５ｉ映像は方式変換部４３によりフォーマット変換されて第１のＳＤ映像信号である５２５ｉ映像として出力される。その際の遅延量ＤＬ１すなわち第１のＨＤ映像信号である１１２５ｉ映像と第１のＳＤ映像信号である５２５ｉ映像の相対的な位相関係は図７の（ｂ）と（ｃ）（または図８の（ｂ）と（ｃ））に示すように１１２５ｉ映像の９０ラインに相当する位相差（ＤＬ１＝９０Ｈ）となるようにする。一方、位相可変部４１は、第１のＨＤ映像信号である１１２５ｉ映像を遅延量０または前述と同じ遅延量ＤＬ１（ＤＬ１＝９０Ｈ）のどちらか一方の位相の第２のＨＤ映像信号である１１２５ｉ映像として出力する。したがって、本フォーマット変換装置から出力される第２のＨＤ映像信号である１１２５ｉ映像と第１のＳＤ映像信号である５２５ｉ映像の相対的な位相関係は、位相可変部４１が遅延量ＤＬ１の位相で出力すれば、図６の（ｃ）と（ｄ）に示すように同相関係となり、遅延量０の位相で出力すれば、図７の（ｂ）と（ｃ）（または図８の（ｂ）と（ｃ））に示すように１１２５ｉ映像に対して５２５ｉ映像は１１２５ｉ映像の９０ラインに相当する位相差だけ遅れて出力されることになる。
【００２４】
以上のように本実施の形態によれば、出力する第２のＨＤ映像信号である１１２５ｉ映像の位相を切換えることにより、スタジオ規格に規定された１１２５ｉ映像と５２５ｉ映像の２通りの位相関係を速やかに切換えて実現することができる。
【００２５】
（実施の形態２）
図３は、本発明の実施の形態２のフォーマット変換機能を備えた撮像装置のブロック図である。
【００２６】
図３において、４０、４１、４３は実施の形態１のフォーマット変換装置における４０、４１、４３と同じものである。５０は外部基準信号を基準として、出力するＨＤ映像信号の位相を遅延量０とＤＬ１で切換えて第３のＨＤ映像信号として出力する撮像装置である。
【００２７】
以上のように構成されたフォーマット変換機能を備えた撮像装置について、図３および図６、図７、図８を用いてその動作を説明する。
【００２８】
本撮像装置５０では、外部基準信号が入力されると遅延量０または前述と同じ遅延量ＤＬ１（ＤＬ１＝９０Ｈ）のどちらか一方の位相の第３のＨＤ映像信号である１１２５ｉ映像として出力する。この第３のＨＤ映像信号が、遅延量ＤＬ１の位相として出力される場合には外部基準信号と第３のＨＤ映像信号は同相、遅延量０の位相として出力される場合には外部基準信号に対して第３のＨＤ映像信号はＤＬ１だけ早い位相で出力される。そして、この第３のＨＤ映像信号である１１２５ｉ映像を実施の形態１で説明したフォーマット変換装置の第１のＨＤ映像信号として入力する。
【００２９】
したがって、外部基準信号と本フォーマット変換機能を備えた撮像装置から出力される第２のＨＤ映像信号である１１２５ｉ映像と第１のＳＤ映像信号である５２５ｉ映像の相対的な位相関係は、以下のような関係が実現できる。
【００３０】
外部基準信号が３値同期信号または３．５８ＢＢ信号の場合に、撮像装置５０が遅延量０の位相の第３のＨＤ映像信号である１１２５ｉ映像を出力し、位相可変部４１が遅延量ＤＬ１の位相の第２のＨＤ映像信号である１１２５ｉ映像を出力すれば、図６の（ａ）または（ｂ）と（ｃ）と（ｄ）に示すように外部基準信号と第２のＨＤ映像信号である１１２５ｉ映像および第１のＳＤ映像信号である５２５ｉ映像の全てが同相関係となる。
【００３１】
また、外部基準信号が３値同期信号である場合に、撮像装置５０が遅延量ＤＬ１の位相の第３のＨＤ映像信号である１１２５ｉ映像を出力し、位相可変部４１が遅延量０の位相の第２のＨＤ映像信号である１１２５ｉ映像を出力すれば、図７の（ａ）と（ｂ）と（ｃ）に示すように３値同期信号と第２のＨＤ映像信号である１１２５ｉ映像が同相関係となり、それに対して第１のＳＤ映像信号である５２５ｉ映像は１１２５ｉ映像の９０ラインに相当する位相差だけ遅れて出力されることになる。
【００３２】
また、外部基準信号が３．５８ＢＢ信号である場合に、撮像装置５０が遅延量０の位相の第３のＨＤ映像信号である１１２５ｉ映像を出力し、位相可変部４１が遅延量０の位相の第２のＨＤ映像信号である１１２５ｉ映像を出力すれば、図８の（ａ）と（ｂ）と（ｃ）に示すように３．５８ＢＢ信号と第１のＳＤ映像信号である５２５ｉ映像が同相関係となり、それに対して第２のＨＤ映像信号である１１２５ｉ映像は１１２５ｉ映像の９０ラインに相当する位相差だけ早く出力されることになる。
【００３３】
以上のように本実施の形態によれば、撮像装置５０が出力する第３のＨＤ映像信号である１１２５ｉ映像の位相と、フォーマット変換装置４０が出力する第２のＨＤ映像信号である２５ｉ映像の位相を切換えることにより、スタジオ規格に規定された１１２５ｉ映像と５２５ｉ映像の２通りの位相関係およびそれらと外部基準信号の位相関係を速やかに切換えて実現することができる。
【００３４】
（実施の形態３）
図４は、本発明の実施の形態３のフォーマット変換装置のブロック図である。
【００３５】
図４において、１０はＨＤ映像信号をＳＤ映像信号にフォーマット変換してＨＤ映像信号とＳＤ映像信号を同時に出力するフォーマット変換装置であり、以下の部分から構成される。１１は入力された第１のＨＤ映像信号を遅延量ＤＬ１だけ遅延させる第１の遅延部、１２は第１のＨＤ映像信号と第１の遅延部１１の出力のどちらか一方を選択して第２のＨＤ映像信号として出力する第１のセレクタ、１３は第１のＨＤ映像信号をＤＬ１の期間に第１のＳＤ映像信号にフォーマット変換して出力する方式変換部である。
【００３６】
以上のように構成されたフォーマット変換装置について、図４および図６、図７、図８を用いてその動作を説明する。
【００３７】
本フォーマット変換装置１０に入力される第１のＨＤ映像信号である１１２５ｉ映像は方式変換部１３によりフォーマット変換されて第１のＳＤ映像信号である５２５ｉ映像として出力される。その際の遅延量ＤＬ１すなわち第１のＨＤ映像信号である１１２５ｉ映像と第１のＳＤ映像信号である５２５ｉ映像の相対的な位相関係は図７の（ｂ）と（ｃ）（または図８の（ｂ）と（ｃ））に示すように１１２５ｉ映像の９０ラインに相当する位相差（ＤＬ１＝９０Ｈ）となるようにする。一方、第１のセレクタ１２は、第１のＨＤ映像信号である１１２５ｉ映像を前述と同じ遅延量ＤＬ１（ＤＬ１＝９０Ｈ）の第１の遅延部１１により遅延させたものと、第１のＨＤ映像信号である１１２５ｉ映像のどちらか一方を選択して第２のＨＤ映像信号である１１２５ｉ映像として出力する。したがって、本フォーマット変換装置から出力される第２のＨＤ映像信号である１１２５ｉ映像と第１のＳＤ映像信号である５２５ｉ映像の相対的な位相関係は、第１のセレクタ１２が第１の遅延部１１の経路（Ａ側）を選択して出力すれば、図６の（ｃ）と（ｄ）に示すように同相関係となり、第１のセレクタ１２が遅延の無い経路（Ｂ側）を選択して出力すれば、図７の（ｂ）と（ｃ）（または図８の（ｂ）と（ｃ））に示すように第２のＨＤ映像信号である１１２５ｉ映像に対して第１のＳＤ映像信号である５２５ｉ映像は１１２５ｉ映像の９０ラインに相当する位相差だけ遅れて出力されることになる。
【００３８】
以上のように本実施の形態によれば、出力する第２のＨＤ映像信号である１１２５ｉ映像の位相を切換えることにより、スタジオ規格に規定された１１２５ｉ映像と５２５ｉ映像の２通りの位相関係を速やかに切換えて実現することができる。
【００３９】
（実施の形態４）
図１は、本発明の実施の形態４のフォーマット変換機能を備えた撮像装置のブロック図である。
【００４０】
図１において、１０から１３は実施の形態３のフォーマット変換装置における１０から１３と同じものである。２０は外部基準信号を基準として生成したリセット信号に対して、出力するＨＤ映像信号の遅延量を０またはＤＬ１のいずれかを切換えて出力する撮像装置であり、以下の部分から構成される。２３は入力された外部基準信号からリセット信号を生成するリセット信号生成部、２４はリセット信号を遅延量ＤＬ１だけ遅延させる第２の遅延部、２５はリセット信号生成部２３と第２の遅延部２４の出力のどちらか一方を選択して出力する第２のセレクタ、２２は第２のセレクタ２５の出力によりリセットされるタイミング制御部、２１はタイミング制御部２２により駆動されて被写体を撮影して第３のＨＤ映像信号を出力する撮像部である。
【００４１】
以上のように構成されたフォーマット変換機能を備えた撮像装置について、図１および図６、図７、図８を用いてその動作を説明する。
【００４２】
本撮像装置２０では、リセット信号生成部２３に外部基準信号が入力されると所定の位相のリセット信号が生成される。第２のセレクタ２５は、このリセット信号とリセット信号を第２の遅延部２４により遅延量ＤＬ１（ＤＬ１＝９０Ｈ）だけ遅延させたもののどちらか一方を選択してタイミング制御部２２に入力し、タイミング制御部２２はこれによりリセットされて撮像部２１を駆動して第３のＨＤ映像信号である１１２５ｉ映像を出力する。この際第２のセレクタ２５が、第２の遅延部２４の経路（Ｄ側）を選択する場合には外部基準信号と第３のＨＤ映像信号は同相、遅延の無い経路（Ｃ側）を選択する場合には外部基準信号に対して第３のＨＤ映像信号はＤＬ１だけ早い位相で出力される。そして、この第３のＨＤ映像信号である１１２５ｉ映像を実施の形態３で説明したフォーマット変換装置の第１のＨＤ映像信号である１１２５ｉ映像として入力する。
【００４３】
したがって、外部基準信号と本フォーマット変換機能を備えた撮像装置から出力される第２のＨＤ映像信号である１１２５ｉ映像と第１のＳＤ映像信号である５２５ｉ映像の相対的な位相関係は、以下のような関係が実現できる。
【００４４】
外部基準信号が３値同期信号または３．５８ＢＢ信号の場合に、第２のセレクタ２５が遅延の無い経路（Ｃ側）を選択し、第１のセレクタ１２が第１の遅延部１１の経路（Ａ側）を選択して出力すれば、図６の（ａ）または（ｂ）と（ｃ）と（ｄ）に示すように外部基準信号と第２のＨＤ映像信号である１１２５ｉ映像および第１のＳＤ映像信号である５２５ｉ映像の全てが同相関係となる。
【００４５】
また、外部基準信号が３値同期信号である場合に、第２のセレクタ２５が第２の遅延部２４の経路（Ｄ側）を選択し、第１のセレクタ１２が遅延の無い経路（Ｂ側）を選択して出力すれば、図７の（ａ）と（ｂ）と（ｃ）に示すように３値同期信号と第２のＨＤ映像信号である１１２５ｉ映像が同相関係となり、それに対して第１のＳＤ映像信号である５２５ｉ映像は１１２５ｉ映像の９０ラインに相当する位相差だけ遅れて出力されることになる。
【００４６】
また、外部基準信号が３．５８ＢＢ信号である場合に、第２のセレクタ２５が遅延の無い経路（Ｃ側）を選択し、第１のセレクタ１２が遅延の無い経路（Ｂ側）を選択して出力すれば、図８の（ａ）と（ｂ）と（ｃ）に示すように３．５８ＢＢ信号と第１のＳＤ映像信号である５２５ｉ映像が同相関係となり、それに対して第２のＨＤ映像信号である１１２５ｉ映像は１１２５ｉ映像の９０ラインに相当する位相差だけ早く出力されることになる。
【００４７】
以上のように本実施の形態によれば、撮像装置２０が出力する第３のＨＤ映像信号である１１２５ｉ映像の位相と、フォーマット変換装置１０が出力する第２のＨＤ映像信号である１１２５ｉ映像の位相を切換えることにより、スタジオ規格に規定された１１２５ｉ映像と５２５ｉ映像の２通りの位相関係およびそれらと外部基準信号の位相関係を速やかに切換えて実現することができる。
【００４８】
（実施の形態５）
図５は、本発明の実施の形態５のフォーマット変換機能を備えた撮像装置のブロック図である。
【００４９】
図５において、１０から１３は実施の形態３のフォーマット変換装置における１０から１３と同じものである。３０は外部基準信号を基準として生成したリセット信号に対して、出力するＨＤ映像信号の遅延量を０またはＤＬ１のいずれかを切換えて出力する撮像装置であり、以下の部分から構成される。３３は入力された外部基準信号からリセット信号を生成するリセット信号生成部、３２はリセット信号によりリセットされるタイミング制御部、３１はタイミング制御部３２により駆動されて被写体を撮影して第４のＨＤ映像信号を出力する撮像部、３４は第４のＨＤ映像信号を遅延量ＤＬ１だけ遅延させる第３の遅延部、３５は第４のＨＤ映像信号と第３の遅延部３４の出力のどちらか一方を選択して第３のＨＤ映像信号として出力する第３のセレクタである。
【００５０】
以上のように構成されたフォーマット変換機能を備えた撮像装置について、図５および図６、図７、図８を用いてその動作を説明する。
【００５１】
本撮像装置３０では、リセット信号生成部３３に外部基準信号が入力されると所定の位相のリセット信号が生成されてタイミング制御部３２に入力し、タイミング制御部３２はこれによりリセットされて撮像部３１を駆動して第４のＨＤ映像信号である１１２５ｉ映像を出力する。第３のセレクタ３５は、撮像部３１が出力する第４のＨＤ映像信号である１１２５ｉ映像と第４のＨＤ映像信号である１１２５ｉ映像を第３の遅延部３４により遅延量ＤＬ１（ＤＬ１＝９０Ｈ）だけ遅延させたもののどちらか一方を選択して第３のＨＤ映像信号である１１２５ｉ映像として出力する。この際第３のセレクタ３５が、第３の遅延部３４の経路（Ｆ側）を選択する場合には外部基準信号と第３のＨＤ映像信号は同相、遅延の無い経路（Ｅ側）を選択する場合には外部基準信号に対して第３のＨＤ映像信号はＤＬ１だけ早い位相で出力される。そして、この第３のＨＤ映像信号である１１２５ｉ映像を実施の形態３で説明したフォーマット変換装置の第１のＨＤ映像信号である１１２５ｉ映像として入力する。
【００５２】
したがって、外部基準信号と本フォーマット変換機能を備えた撮像装置から出力される第２のＨＤ映像信号である１１２５ｉ映像と第１のＳＤ映像信号である５２５ｉ映像の相対的な位相関係は、以下のような関係が実現できる。
【００５３】
外部基準信号が３値同期信号または３．５８ＢＢ信号の場合に、第３のセレクタ３５が遅延の無い経路（Ｅ側）を選択し、第１のセレクタ１２が第１の遅延部１１の経路（Ａ側）を選択して出力すれば、図６の（ａ）または（ｂ）と（ｃ）と（ｄ）に示すように外部基準信号と第２のＨＤ映像信号である１１２５ｉ映像および第１のＳＤ映像信号である５２５ｉ映像の全てが同相関係となる。
【００５４】
また、外部基準信号が３値同期信号である場合に、第３のセレクタ３５が第３の遅延部３４の経路（Ｆ側）を選択し、第１のセレクタ１２が遅延の無い経路（Ｂ側）を選択して出力すれば、図７の（ａ）と（ｂ）と（ｃ）に示すように３値同期信号と第２のＨＤ映像信号である１１２５ｉ映像が同相関係となり、それに対して第１のＳＤ映像信号である５２５ｉ映像は１１２５ｉ映像の９０ラインに相当する位相差だけ遅れて出力されることになる。
【００５５】
また、外部基準信号が３．５８ＢＢ信号である場合に、第３のセレクタ３５が遅延の無い経路（Ｅ側）を選択し、第１のセレクタ１２が遅延の無い経路（Ｂ側）を選択して出力すれば、図８の（ａ）と（ｂ）と（ｃ）に示すように３．５８ＢＢ信号と第１のＳＤ映像信号である５２５ｉ映像が同相関係となり、それに対して第２のＨＤ映像信号である１１２５ｉ映像は１１２５ｉ映像の９０ラインに相当する位相差だけ早く出力されることになる。
【００５６】
以上のように本実施の形態によれば、撮像装置３０が出力する第３のＨＤ映像信号の位相と、フォーマット変換装置１０が出力する第２のＨＤ映像信号の位相を切換えることにより、スタジオ規格に規定された１１２５ｉ映像と５２５ｉ映像の２通りの位相関係およびそれらと外部基準信号の位相関係を速やかに切換えて実現することができる。
【００５７】
なお、以上の説明では遅延量ＤＬ１を１１２５ｉ映像の９０ラインとしたが、遅延量ＤＬ１で示されている部分を全て共通に変更すれば、遅延量ＤＬ１は他の値としてもよい。また、フォーマット変換前後の映像信号を１１２５ｉ映像と５２５ｉ映像として説明したが、例えば総ライン数７５０本プログレッシブ走査方式（７５０ｐ映像）と５２５ｉ映像、１１２５ｉ映像と総ライン数６２５本インターレース走査方式（６２５ｉ映像）など、他の映像信号であっても構わない。
【産業上の利用可能性】
【００５８】
本発明にかかるフォーマット変換装置および撮像装置は、同時出力するＨＤ映像信号およびＳＤ映像信号の位相関係を同相またはＳＤ映像信号が遅延量ＤＬ１遅れとするかを切換えることができ、かつその位相は外部基準信号が３値同期信号または３．５８ＢＢ信号であるかに対応して、ＨＤ映像信号またはＳＤ映像信号を外部基準信号と同相として出力することができるため、ＨＤ映像信号とＳＤ映像信号が混在するシステムにおける機器の運用に有用である。
【図面の簡単な説明】
【００５９】
【図１】本発明の実施の形態４におけるフォーマット変換機能を備えた撮像装置のブロック図
【図２】本発明の実施の形態１におけるフォーマット変換装置のブロック図
【図３】本発明の実施の形態２におけるフォーマット変換機能を備えた撮像装置のブロック図
【図４】本発明の実施の形態３におけるフォーマット変換装置のブロック図
【図５】本発明の実施の形態５におけるフォーマット変換機能を備えた撮像装置のブロック図
【図６】スタジオ規格で規定された１１２５ｉ映像と５２５ｉ映像の位相関係（同相）を示す図（基準信号と同相）
【図７】スタジオ規格で規定された１１２５ｉ映像と５２５ｉ映像の位相関係（５２５ｉ映像が９０ライン遅れ）を示す図（１１２５ｉ映像が基準信号と同相）
【図８】スタジオ規格で規定された１１２５ｉ映像と５２５ｉ映像の位相関係（５２５ｉ映像が９０ライン遅れ）を示す図（５２５ｉ映像が基準信号と同相）
【図９】従来のフォーマット変換装置のブロック図
【符号の説明】
【００６０】
１０、４０  フォーマット変換装置
１１、２４、３４  遅延部
１２、２５、３５  セレクタ
１３、４３  方式変換部
２０、３０、５０  撮像装置
２１、３１  撮像部
２２、３２  タイミング制御部
２３、３３  リセット信号生成部
４１  位相可変部
６０  記憶部
６１  データ読み出し部
６２、６３  画像フォーマット変換部
６４  画像同期信号生成部
６５  画像同期信号生成・同期調停部
【図１】
2005065161.tif 000003
【図２】
2005065161.tif 000004
【図３】
2005065161.tif 000005
【図４】
2005065161.tif 000006
【図５】
2005065161.tif 000007
【図６】
2005065161.tif 000008
【図７】
2005065161.tif 000009
【図８】
2005065161.tif 000010
【図９】
2005065161.tif 000011